(57)【要約】【課題】  記録層が多層構造の光情報記録媒体を用いた線速度一定方式による情報記録の際に、安定した記録品質を維持することができる光情報記録装置を提供する。【解決手段】  記録層が多層構造の光情報記録媒体を用いた線速度一定方式による情報記録の際に、１層目の記録層の情報記録領域の状態と１層目の記録層のＰＣＡの状態とを同じ状態にした後、２層目の記録層のＰＣＡに対するＯＰＣ手段によるＯＰＣ処理を実行するようにした（ステップＳ２２〜Ｓ２６）。これにより、記録層が多層構造の光情報記録媒体を用いた線速度一定方式による情報記録の際に、情報記録動作時と同条件の下で、ＯＰＣ動作における最適記録パワーを求めることができる。【選択図】    図６
2004310997.tif 000002
【特許請求の範囲】
【請求項１】
情報記録領域を有する記録層が多層構造であってレーザビームを用いた記録が可能な光情報記録媒体において、
前記各記録層についてのレーザビームの最適記録パワーを求めるＯＰＣ（Optimum Power Control）処理に際しての試し書きを許容するＰＣＡ（Power Calibration Area）が、前記情報記録領域よりも内周部及び前記情報記録領域よりも外周部にそれぞれ設けられている、
ことを特徴とする光情報記録媒体。
【請求項２】
情報記録領域を有する記録層が多層構造であって記録が可能な光情報記録媒体に対してレーザビームを用いた線速度一定方式による情報の記録を行う光情報記録装置において、
情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ手段と、
レーザビームの入射側に位置する１層目の前記記録層の前記情報記録領域が記録状態であるか消去状態であるかを判定する状態判定手段と、
を備え、
前記状態判定手段により判定された１層目の前記記録層の前記情報記録領域の状態と１層目の前記記録層のＰＣＡの状態とを同じ状態にした後、２層目の前記記録層のＰＣＡに対する前記ＯＰＣ手段によるＯＰＣ処理を実行するようにした、
ことを特徴とする光情報記録装置。
【請求項３】
情報記録領域を有する記録層が多層構造であって記録が可能な請求項１記載の光情報記録媒体に対してレーザビームを用いた角速度一定方式による情報の記録を行う光情報記録装置において、
情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ手段と、
レーザビームの入射側に位置する１層目の前記記録層が記録状態であるか消去状態であるかを判定する状態判定手段と、
を備え、
前記状態判定手段により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ手段によるＯＰＣ処理を実行するようにした、
ことを特徴とする光情報記録装置。
【請求項４】
各種情報処理を行うことができる情報処理装置において、
請求項２または３記載の光情報記録装置を備えている、
ことを特徴とする情報処理装置。
【請求項５】
情報記録領域を有する記録層が多層構造であって記録が可能な光情報記録媒体に対してレーザビームを用いた線速度一定方式による情報の記録を行う光情報記録装置に設けられたコンピュータに読取り可能なプログラムであって、前記コンピュータに、
情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ機能と、
レーザビームの入射側に位置する１層目の前記記録層の前記情報記録領域が記録状態であるか消去状態であるかを判定する状態判定機能と、
を実行させ、
前記状態判定機能により判定された１層目の前記記録層の前記情報記録領域の状態と１層目の前記記録層のＰＣＡの状態とを同じ状態にした後、２層目の前記記録層のＰＣＡに対する前記ＯＰＣ機能によるＯＰＣ処理を前記コンピュータに実行させるようにした、
ことを特徴とするプログラム。
【請求項６】
情報記録領域を有する記録層が多層構造であって記録が可能な請求項１記載の光情報記録媒体に対してレーザビームを用いた角速度一定方式による情報の記録を行う光情報記録装置に設けられたコンピュータに読取り可能なプログラムであって、前記コンピュータに、
情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ機能と、
レーザビームの入射側に位置する１層目の前記記録層が記録状態であるか消去状態であるかを判定する状態判定機能と、
を実行させ、
前記状態判定機能により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ機能によるＯＰＣ処理を前記コンピュータに実行させるようにした、
ことを特徴とするプログラム。
【請求項７】
情報記録領域を有する記録層が多層構造であって記録が可能な光情報記録媒体に対してレーザビームを用いた線速度一定方式による情報の記録を行う情報記録方法であって、
情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ工程と、
レーザビームの入射側に位置する１層目の前記記録層の前記情報記録領域が記録状態であるか消去状態であるかを判定する状態判定工程と、
を含み、
前記状態判定工程により判定された１層目の前記記録層の前記情報記録領域の状態と１層目の前記記録層のＰＣＡの状態とを同じ状態にした後、２層目の前記記録層のＰＣＡに対する前記ＯＰＣ工程によるＯＰＣ処理を行うようにした、
ことを特徴とする情報記録方法。
【請求項８】
情報記録領域を有する記録層が多層構造であって記録が可能な請求項１記載の光情報記録媒体に対してレーザビームを用いた角速度一定方式による情報の記録を行う情報記録方法であって、
情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ工程と、
レーザビームの入射側に位置する１層目の前記記録層が記録状態であるか消去状態であるかを判定する状態判定工程と、
を含み、
前記状態判定工程により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ工程によるＯＰＣ処理を行うようにした、
ことを特徴とする情報記録方法。
【発明の詳細な説明】
【技術分野】
【０００１】
本発明は、情報記録領域を有する記録層が多層構造であって記録が可能な光情報記録媒体、光情報記録装置、情報処理装置、プログラム及び情報記録方法に関する。
【背景技術】
【０００２】
近年、パーソナルコンピュータ（以下「パソコン」と略述する）は、その機能が向上するに伴い、音楽や映像といったＡＶ（Audio-Visual）情報を取り扱うことが可能となってきた。これらＡＶ情報の情報量は非常に大きいために、光情報記録媒体としてＣＤ（compact disc）やＤＶＤ（digital versatile disc）などの光ディスクが注目されるようになり、その低価格化とともに、光情報記録装置としての光ディスクドライブ装置がパソコンの周辺機器の一つとして普及するようになっている。
【０００３】
このような光ディスクに対する記録再生方式としては、ＣＬＶ（Ｃonstant Ｌiner Ｖelocity：線速度一定）方式と、ＣＡＶ（Ｃonstant Ａngular Ｖelocity：回転数一定であり、外周側ほど線速度が速くなる）方式と、ＣＬＶ方式とＣＡＶ方式とを応用したＺＣＬＶ（Ｚone ＣＬＶ）方式とが知られている。
【０００４】
ＣＬＶ方式では、光ディスクを一定の線速度で回転駆動するので、データ管理や回転速度の制御は多少複雑になるが記録容量を最大に確保できる。反面、ＣＬＶ方式によると、ディスク内周部ほど回転数を高くする必要があるので、高速になってくると回転させるのが困難になってしまう。同時に、モータコストが高くなる、騒音・振動が増える、サーボシステムの設計が困難になってくる、といった不具合もある。
【０００５】
この点、ＣＡＶ方式では、光ディスクを一定の角速度（回転数）で回転駆動するので、データ管理や回転速度の制御は容易であるが、記録容量が多少犠牲となる。また、ＺＣＬＶ方式では、光ディスクを半径方向に複数のゾーンに分割し、各ゾーン内ではＣＬＶ方式と同様に線速度を一定とし、外周側ほど速くなるようにゾーン毎に回転速度を変化させるので、ＣＬＶ方式とＣＡＶ方式との利点を併せ持つこととなる。
【０００６】
ところが、ＺＣＬＶ方式で記録するにしても、より高速に記録しようとした場合、その光ディスクドライブ装置で使用している光源としての半導体レーザの出力パワーには限界があるため、例えば、感度の悪い光ディスクを使用した場合には所望の記録特性を得る上で必要とする記録パワーが半導体レーザの最大出力パワーを超えてしまうケースが生じ得る。
【０００７】
そこで、通常、光ディスクドライブ装置は、光ディスクに対する本記録の開始より前に、対象となる光ディスクに対して情報を試し書きし、試し書きした領域を再生することにより取得される再生信号の特性に基づいて最適記録パワーを取得し、この最適記録パワーによって本記録を行うようにしている。これにより、良好な記録品質を得ることができる。以降、試し書きした領域からの再生信号に基づいて最適記録パワーを取得することをＯＰＣ（Optimum Power Control）とし、ＯＰＣに際しての試し書きを許容する光ディスク上の領域をＰＣＡ（Power Calibration Area）とする。
【０００８】
また、近年においては、記録層を１層ではなく複数の層で構成する多層光ディスクが開発されている。このような多層光ディスクとしては、エンボスのピットを多層化した再生専用光ディスクの他、有機色素系材料を記録材料として用いたものが知られている。有機色素系材料は、光の照射により反応する点、透明性（光透過率）を有している点から、多層光ディスクの材料として適している。
【０００９】
特許文献１には、このような多層光ディスクに対して記録再生を行うための光ディスク装置が開示されている。
【００１０】
【特許文献１】特開２００３−２２５３２公報
【発明の開示】
【発明が解決しようとする課題】
【００１１】
ところで、記録層を複数の層で構成する多層光ディスクに情報の記録を行う場合、以下に示すような課題がある。
【００１２】
例えば、同一記録面に２つの記録層を持つ２層ディスクにおいて第２層目の記録層に情報を記録する場合には、第１層目の記録層を透過して、第２層目の記録層に情報を記録することになる。したがって、第１層目の記録層が消去状態（高反射率、低透過率）か記録状態（低反射率、高透過率）かによって、第２層目の記録層に到達するビーム光量が変化してしまうことから、このビーム光量の変化に伴ってＯＰＣにおいて取得される最適な記録パワーが変化するという問題がある。このような最適な記録パワーの変動は、ジッタ、エラーレートなど第２層目の記録層の記録特性の劣化に繋がってしまう。
【００１３】
本発明の目的は、記録層が多層構造の光情報記録媒体を用いた線速度一定方式による情報記録の際に、安定した記録品質を維持することができる光情報記録装置を提供することである。
【００１４】
本発明の目的は、記録層が多層構造の光情報記録媒体を用いた角速度一定方式による情報記録の際に、安定した記録品質を維持することができる光情報記録装置を提供することである。
【課題を解決するための手段】
【００１５】
請求項１記載の発明の光情報記録媒体は、情報記録領域を有する記録層が多層構造であってレーザビームを用いた記録が可能な光情報記録媒体において、前記各記録層についてのレーザビームの最適記録パワーを求めるＯＰＣ（Optimum Power Control）処理に際しての試し書きを許容するＰＣＡ（Power Calibration Area）が、前記情報記録領域よりも内周部及び前記情報記録領域よりも外周部にそれぞれ設けられている、ことを特徴とする。
【００１６】
したがって、角速度一定方式により情報の記録を行おうとする記録層の情報記録領域よりも内周部及び情報記録領域よりも外周部にそれぞれＯＰＣ処理に際しての試し書きを許容するＰＣＡが設けられていることにより、情報記録領域よりも内周部と外周部とでＯＰＣを行うことで中間線速度での最適記録パワーを求めることが可能になるので、線速度が外周に向かうほど高速になるような場合であっても、最適記録パワーを求めることが可能になる。
【００１７】
請求項２記載の発明の光情報記録装置は、情報記録領域を有する記録層が多層構造であって記録が可能な光情報記録媒体に対してレーザビームを用いた線速度一定方式による情報の記録を行う光情報記録装置において、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ手段と、レーザビームの入射側に位置する１層目の前記記録層の前記情報記録領域が記録状態であるか消去状態であるかを判定する状態判定手段と、を備え、前記状態判定手段により判定された１層目の前記記録層の前記情報記録領域の状態と１層目の前記記録層のＰＣＡの状態とを同じ状態にした後、２層目の前記記録層のＰＣＡに対する前記ＯＰＣ手段によるＯＰＣ処理を実行するようにした、ことを特徴とする。
【００１８】
したがって、記録層が多層構造の光情報記録媒体を用いた線速度一定方式による情報記録の際に、情報記録動作時と同条件の下で、ＯＰＣ動作における最適記録パワーを求めることが可能になる。
【００１９】
請求項３記載の発明の光情報記録装置は、情報記録領域を有する記録層が多層構造であって記録が可能な請求項１記載の光情報記録媒体に対してレーザビームを用いた角速度一定方式による情報の記録を行う光情報記録装置において、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ手段と、レーザビームの入射側に位置する１層目の前記記録層が記録状態であるか消去状態であるかを判定する状態判定手段と、を備え、前記状態判定手段により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ手段によるＯＰＣ処理を実行するようにした、ことを特徴とする。
【００２０】
したがって、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることが可能になるので、線速度が外周に向かうほど高速になるような場合であっても、最適記録パワーを求めることが可能になる。
【００２１】
請求項４記載の発明の情報処理装置は、各種情報処理を行うことができる情報処理装置において、請求項２または３記載の光情報記録装置を備えている、ことを特徴とする。
【００２２】
したがって、請求項２または３記載の光情報記録装置を備えているので、２層の記録層を有する光情報記録媒体を用いた線速度一定方式による情報の記録動作時や角速度一定方式による情報の記録動作時において、ＯＰＣ動作における最適記録パワーを求めることができる光情報記録装置を記憶装置等として利用できる情報処理装置を提供することができる。
【００２３】
請求項５記載の発明のプログラムは、情報記録領域を有する記録層が多層構造であって記録が可能な光情報記録媒体に対してレーザビームを用いた線速度一定方式による情報の記録を行う光情報記録装置に設けられたコンピュータに読取り可能なプログラムであって、前記コンピュータに、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ機能と、レーザビームの入射側に位置する１層目の前記記録層の前記情報記録領域が記録状態であるか消去状態であるかを判定する状態判定機能と、を実行させ、前記状態判定機能により判定された１層目の前記記録層の前記情報記録領域の状態と１層目の前記記録層のＰＣＡの状態とを同じ状態にした後、２層目の前記記録層のＰＣＡに対する前記ＯＰＣ機能によるＯＰＣ処理を前記コンピュータに実行させるようにした。
【００２４】
したがって、記録層が多層構造の光情報記録媒体を用いた線速度一定方式による情報記録の際に、情報記録動作時と同条件の下で、ＯＰＣ動作における最適記録パワーを求めることが可能になる。
【００２５】
請求項６記載の発明のプログラムは、情報記録領域を有する記録層が多層構造であって記録が可能な請求項１記載の光情報記録媒体に対してレーザビームを用いた角速度一定方式による情報の記録を行う光情報記録装置に設けられたコンピュータに読取り可能なプログラムであって、前記コンピュータに、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ機能と、レーザビームの入射側に位置する１層目の前記記録層が記録状態であるか消去状態であるかを判定する状態判定機能と、を実行させ、前記状態判定機能により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ機能によるＯＰＣ処理を前記コンピュータに実行させるようにした。
【００２６】
したがって、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることが可能になるので、線速度が外周に向かうほど高速になるような場合であっても、最適記録パワーを求めることが可能になる。
【００２７】
請求項７記載の発明の情報記録方法は、情報記録領域を有する記録層が多層構造であって記録が可能な光情報記録媒体に対してレーザビームを用いた線速度一定方式による情報の記録を行う情報記録方法であって、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ工程と、レーザビームの入射側に位置する１層目の前記記録層の前記情報記録領域が記録状態であるか消去状態であるかを判定する状態判定工程と、を含み、前記状態判定工程により判定された１層目の前記記録層の前記情報記録領域の状態と１層目の前記記録層のＰＣＡの状態とを同じ状態にした後、２層目の前記記録層のＰＣＡに対する前記ＯＰＣ工程によるＯＰＣ処理を行うようにした。
【００２８】
したがって、記録層が多層構造の光情報記録媒体を用いた線速度一定方式による情報記録の際に、情報記録動作時と同条件の下で、ＯＰＣ動作における最適記録パワーを求めることが可能になる。
【００２９】
請求項８記載の発明の情報記録方法は、情報記録領域を有する記録層が多層構造であって記録が可能な請求項１記載の光情報記録媒体に対してレーザビームを用いた角速度一定方式による情報の記録を行う情報記録方法であって、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ工程と、レーザビームの入射側に位置する１層目の前記記録層が記録状態であるか消去状態であるかを判定する状態判定工程と、を含み、前記状態判定工程により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ工程によるＯＰＣ処理を行うようにした。
【００３０】
したがって、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることが可能になるので、線速度が外周に向かうほど高速になるような場合であっても、最適記録パワーを求めることが可能になる。
【発明の効果】
【００３１】
請求項１記載の発明の光情報記録媒体によれば、情報記録領域を有する記録層が多層構造であってレーザビームを用いた記録が可能な光情報記録媒体において、前記各記録層についてのレーザビームの最適記録パワーを求めるＯＰＣ（Optimum Power Control）処理に際しての試し書きを許容するＰＣＡ（Power Calibration Area）が、前記情報記録領域よりも内周部及び前記情報記録領域よりも外周部にそれぞれ設けられていることにより、情報記録領域よりも内周部と外周部とでＯＰＣを行うことで中間線速度での最適記録パワーを求めることができるので、線速度が外周に向かうほど高速になるような場合であっても、最適記録パワーを求めることができる。
【００３２】
請求項２記載の発明の光情報記録装置によれば、情報記録領域を有する記録層が多層構造であって記録が可能な光情報記録媒体に対してレーザビームを用いた線速度一定方式による情報の記録を行う光情報記録装置において、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ手段と、レーザビームの入射側に位置する１層目の前記記録層の前記情報記録領域が記録状態であるか消去状態であるかを判定する状態判定手段と、を備え、前記状態判定手段により判定された１層目の前記記録層の前記情報記録領域の状態と１層目の前記記録層のＰＣＡの状態とを同じ状態にした後、２層目の前記記録層のＰＣＡに対する前記ＯＰＣ手段によるＯＰＣ処理を実行するようにしたことにより、記録層が多層構造の光情報記録媒体を用いた線速度一定方式による情報記録の際に、情報記録動作時と同条件の下で、ＯＰＣ動作における最適記録パワーを求めることができるので、記録層が多層構造の光情報記録媒体を用いた線速度一定方式による情報記録の際に、安定した記録品質を維持することができる。
【００３３】
請求項３記載の発明の光情報記録装置によれば、情報記録領域を有する記録層が多層構造であって記録が可能な請求項１記載の光情報記録媒体に対してレーザビームを用いた角速度一定方式による情報の記録を行う光情報記録装置において、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ手段と、レーザビームの入射側に位置する１層目の前記記録層が記録状態であるか消去状態であるかを判定する状態判定手段と、を備え、前記状態判定手段により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ手段によるＯＰＣ処理を実行するようにしたことにより、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることができ、線速度が外周に向かうほど高速になるような場合であっても、最適記録パワーを求めることができるので、記録層が多層構造の光情報記録媒体を用いた線速度一定方式による情報記録の際に、安定した記録品質を維持することができる。
【００３４】
請求項４記載の発明の情報処理装置によれば、各種情報処理を行うことができる情報処理装置において、請求項２または３記載の光情報記録装置を備えていることにより、２層の記録層を有する光情報記録媒体を用いた線速度一定方式による情報の記録動作時や角速度一定方式による情報の記録動作時において、ＯＰＣ動作における最適記録パワーを求めることができる光情報記録装置を記憶装置等として利用できる情報処理装置を提供することができる。
【００３５】
請求項５記載の発明のプログラムによれば、情報記録領域を有する記録層が多層構造であって記録が可能な光情報記録媒体に対してレーザビームを用いた線速度一定方式による情報の記録を行う光情報記録装置に設けられたコンピュータに読取り可能なプログラムであって、前記コンピュータに、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ機能と、レーザビームの入射側に位置する１層目の前記記録層の前記情報記録領域が記録状態であるか消去状態であるかを判定する状態判定機能と、を実行させ、前記状態判定機能により判定された１層目の前記記録層の前記情報記録領域の状態と１層目の前記記録層のＰＣＡの状態とを同じ状態にした後、２層目の前記記録層のＰＣＡに対する前記ＯＰＣ機能によるＯＰＣ処理を前記コンピュータに実行させるようにしたことにより、記録層が多層構造の光情報記録媒体を用いた線速度一定方式による情報記録の際に、情報記録動作時と同条件の下で、ＯＰＣ動作における最適記録パワーを求めることができるので、記録層が多層構造の光情報記録媒体を用いた線速度一定方式による情報記録の際に、安定した記録品質を維持することができる。
【００３６】
請求項６記載の発明のプログラムによれば、情報記録領域を有する記録層が多層構造であって記録が可能な請求項１記載の光情報記録媒体に対してレーザビームを用いた角速度一定方式による情報の記録を行う光情報記録装置に設けられたコンピュータに読取り可能なプログラムであって、前記コンピュータに、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ機能と、レーザビームの入射側に位置する１層目の前記記録層が記録状態であるか消去状態であるかを判定する状態判定機能と、を実行させ、前記状態判定機能により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ機能によるＯＰＣ処理を前記コンピュータに実行させるようにしたことにより、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることができ、線速度が外周に向かうほど高速になるような場合であっても、最適記録パワーを求めることができるので、記録層が多層構造の光情報記録媒体を用いた線速度一定方式による情報記録の際に、安定した記録品質を維持することができる。
【００３７】
請求項７記載の発明の情報記録方法によれば、情報記録領域を有する記録層が多層構造であって記録が可能な光情報記録媒体に対してレーザビームを用いた線速度一定方式による情報の記録を行う情報記録方法であって、情報の記録を実行する際に、前記各記録層に設けられたＰＣＡ（Power Calibration Area）に対して試し書きを行って前記各記録層の前記情報記録領域に対するレーザビームの最適記録パワーを求めるＯＰＣ（Optimum Power Control）処理を実行するＯＰＣ工程と、レーザビームの入射側に位置する１層目の前記記録層の前記情報記録領域が記録状態であるか消去状態であるかを判定する状態判定工程と、を含み、前記状態判定工程により判定された１層目の前記記録層の前記情報記録領域の状態と１層目の前記記録層のＰＣＡの状態とを同じ状態にした後、２層目の前記記録層のＰＣＡに対する前記ＯＰＣ工程によるＯＰＣ処理を行うようにしたことにより、記録層が多層構造の光情報記録媒体を用いた線速度一定方式による情報記録の際に、情報記録動作時と同条件の下で、ＯＰＣ動作における最適記録パワーを求めることができるので、記録層が多層構造の光情報記録媒体を用いた線速度一定方式による情報記録の際に、安定した記録品質を維持することができる。
【００３８】
請求項８記載の発明の情報記録方法によれば、情報記録領域を有する記録層が多層構造であって記録が可能な請求項１記載の光情報記録媒体に対してレーザビームを用いた角速度一定方式による情報の記録を行う情報記録方法であって、情報の記録を実行する際に、前記各記録層に設けられた前記情報記録領域よりも内周部及び前記情報記録領域よりも外周部のＰＣＡ（Power Calibration Area）に対して試し書きをそれぞれ行って求めた前記情報記録領域よりも内周部の記録パワーと前記情報記録領域よりも外周部の記録パワーとを用いて中間線速での記録パワーを内挿して求め、前記各記録層の前記情報記録領域に対するレーザビームの最適記録パワーとするＯＰＣ（Optimum Power Control）処理を実行するＯＰＣ工程と、レーザビームの入射側に位置する１層目の前記記録層が記録状態であるか消去状態であるかを判定する状態判定工程と、を含み、前記状態判定工程により判定された１層目の前記記録層の前記情報記録領域の状態と１層目の前記記録層の前記情報記録領域よりも内周部及び前記情報記録領域よりも外周部のＰＣＡの状態とを同じ状態にした後、２層目の前記記録層の前記情報記録領域よりも内周部及び前記情報記録領域よりも外周部のＰＣＡに対する前記ＯＰＣ工程によるＯＰＣ処理を行うようにしたことにより、記録層が多層構造の光情報記録媒体を用いた角速度一定方式による情報記録の際に、情報記録動作時と同条件の下で、情報記録領域よりも内周部と外周部とでＯＰＣを行った結果を用いて中間線速での記録パワーを内挿して求めることで最適記録パワーを求めることができ、線速度が外周に向かうほど高速になるような場合であっても、最適記録パワーを求めることができるので、記録層が多層構造の光情報記録媒体を用いた線速度一定方式による情報記録の際に、安定した記録品質を維持することができる。
【発明を実施するための最良の形態】
【００３９】
本発明の第一の実施の形態を図１ないし図５に基づいて説明する。
【００４０】
本実施の形態の光情報記録装置は、記録可能な光情報記録媒体として２層の記録層を有する多層光ディスクである光ディスクを対象とする光ディスクドライブ装置への適用例を示す。
【００４１】
図１は、本実施の形態の光ディスク１００のエリア構成を示す説明図である。図１に示すように、光ディスク１００は、後述する光ピックアップ５（図２参照）側に位置する記録層（第１層）１０１と、記録層（第２層）１０２との２層構造となっているような有機色素系材料を用いた色素系メディアである。図１は光ディスク１００を半径方向に断面した状態を示しており、情報記録領域１０４、情報記録領域１０４よりも内周部に設けられてＯＰＣ処理に際しての試し書きを許容する内周ＰＣＡ１０３、情報記録領域１０４よりも外周部に設けられてＯＰＣ処理に際しての試し書きを許容する外周ＰＣＡ１０５により構成される情報領域を有する。つまり、本実施の形態の光ディスク１００は、ＯＰＣに際しての試し書きを許容するＰＣＡを内周と外周とにおいて２層に積層して有していることになる。
【００４２】
図２は、光ディスク１００に対して情報を記録再生する光ディスクドライブ装置１の構成を示す概略ブロック図である。図２に示すように、光ディスクドライブ装置１は、スピンドルモータ２を含む回転駆動手段によって光ディスク１００を回転駆動する。このスピンドルモータ２は、モータドライバ３とサーボ手段４とによって、ＣＡＶ方式或いはＺＣＬＶ方式で書き込みが行えるように、角速度（回転数）一定となるように駆動制御される。
【００４３】
光ピックアップ５は、特に図示しない光源としての半導体レーザ、光学系、フォーカシングアクチュエータ、トラッキングアクチュエータ、受光素子、ポジションセンサ等を内蔵しており、レーザビームを光ディスク１００の記録面に照射する。このような光ピックアップ５は、図示しないシークモータによりスレッジ方向（ディスク半径方向）に移動可能とされている。これらのフォーカシングアクチュエータ、トラッキングアクチュエータ、シークモータは受光素子やポジションセンサから得られる信号に基づきモータドライバ３とサーボ手段４とによってレーザスポットを光ディスク１００上の目的の場所に位置させるように制御する。
【００４４】
パワー設定手段６は、設定された記録パワーに基づいてレーザドライバ７を駆動し、光ピックアップ５の半導体レーザを発光させる。また、光ピックアップ５の半導体レーザは、レーザドライバ７に対して入力されるパルス信号によって、記録パワー状態とスペースパワー状態の間で変調される。これにより、光ディスク１００の記録層上には、記録マークとそうでないところができる。
【００４５】
なお、レーザドライバ７において設定されるパルス幅は固定でもよいが、本実施の形態においては、パルス設定手段８によって、線速度やディスク種別に応じてパルス幅を設定するようにしている。このように線速度やディスク種別に応じてパルス幅を設定するようにしたのは、線速度やディスク種別による記録マーク長ごとの感度の違いを吸収できるからである。ディスク種別は、光ピックアップ５で光ディスク１００の特定場所を再生したときの再生信号から検出することができる。ディスク種別は、例えばディスクメーカを何らかの方法で特定できれば、メーカ別にしてもよいし、同一メーカでもさらに細かく分類できればなおよい。より具体的には、ディスクメーカごとに特定のメーカ識別コード（ベンダーコード）を光ディスク１００に予め埋め込んでおく。さらに、細分類のためのコードを光ディスク１００に予め埋め込んでもよい。他の種別同定手法としては、例えば光ディスク１００に予め埋め込んである各種パラメータを用いることもできる。例えば、推奨パワーやパルス幅などを埋め込んである場合はそれを用いてもよい。こうすることで、同一メーカのさまざまな光ディスクに応じて、最適なパルス幅設定（Write Strategy）が可能になる。
【００４６】
データ記録時には、ＡＴＡＰＩやＳＣＳＩ等のＩ／Ｆ９によってホスト（図示せず）から転送されたデータを受信すると、データ生成手段１０において、そのデータに対して所定のフォーマットでの符号化処理や変調処理を施し、シリアル形式で記録データ列としてパルス設定手段８を介してレーザドライバ７に対して出力する。
【００４７】
このような光ディスクドライブ装置１は、上述の各部の動作を制御するとともに後述する各機能を実行するためのコントローラ１１を備えている。コントローラ１１は、各部を集中的に制御するＣＰＵ（Central Processing Unit）、ＣＰＵが実行するプログラム等の固定データが書き込まれているＲＯＭ（Read Only Memory）、ワークデータ等の可変データを更新自在に書き込むＲＡＭ（Random Access Memory）等からなるマイクロコンピュータ構成とされている。また、１２は不揮発性メモリである。
【００４８】
ところで、本実施の形態の光ディスクドライブ装置１のコントローラ１１は、過去に記録した光ディスク１００で以前記録したときのＯＰＣ結果を不揮発性メモリ１２に既に記憶している場合を除き、データ記録に先立って、当該光ディスク１００のＰＣＡにおいてＯＰＣ処理を行い半導体レーザの最適記録パワーを求める。ＯＰＣとは、試し書きした領域からの再生信号に基づいて最適記録パワーを取得することをいう。ＯＰＣ処理実行時、光ディスク１００の内周ＰＣＡ１０３及び外周ＰＣＡ１０５において、１ブロック毎に（１ステップ毎に）半導体レーザの記録パワーを増加させながら、所定回数分に相当する所定ブロック（例えば、１０ブロック）分の試し書き記録を行う。
【００４９】
このようなＯＰＣ処理の時、試し書きした領域を再生して再生信号ＲＦを得て、その再生信号ＲＦから公知の評価尺度値βを得る。このβは、再生信号ＲＦをＡＣ結合した時の上下振幅の対称性に相当する。即ち、記録パワーによる再生信号ＲＦの状態を示す図３を参照すれば、（ａ）がパワー適正、（ｂ）がパワー過大、（ｃ）がパワー不足を示している。下側が記録マークが形成される部分に相当し、適正時にデューティが５０％でも、パワー過大の時にはマーク側が長く記録されることになるのでその方向にデューティがずれることになる。これをＡＣ結合した時に、図示しないピーク及びボトム検出回路により検出される上側振幅をａ、下側振幅をｂとすると、
β＝（ａ−ｂ）／（ａ＋ｂ）
で表される。図示例によれば、適正ならばβはほぼ０、パワー過大ならばβは大きく、パワー不足ならばβは小さくなることが分かる。そこで、ＯＰＣにおいては、β値が目標値βtarget（例えば、０．０４）になる記録パワーを最適記録パワーとして求めることとなる。
【００５０】
なお、このＯＰＣ処理実行時には、光ディスク１００は角速度（回転数）一定となるように回転駆動され、ＣＡＶ方式或いはＺＣＬＶ方式で試し書きが行われる。このような方法で最適記録パワーを計算しレーザドライバ７に記録パワーの指令を出す。
【００５１】
ここで、記録パワーと評価尺度値βの関係を図４に示す。図４ではパワーを１０段階に変えて記録している。記録パワーを振る範囲をＯＰＣレンジ、このときの基準となる中心パワーをＰdefと呼ぶ。ＯＰＣレンジは、Ｐdefに対して、例えば＋４０％、−３０％の範囲で１０段階で振る、あるいはＰdefに対して＋５ｍＷ、−４ｍＷの範囲で１ｍＷずつ振る、等の方法がある。
【００５２】
得られた１０点のβ値からβカーブを曲線（２次）近似し、βtargetとなるパワーＰopcを得る。温度変化等、ＯＰＣ処理を実行する時点の条件によりＰopcは多少変動することもあるため、通常条件ではＰopcはなるべくＰdef付近で求まる方が望ましい。また、Ｐopcは光ディスク毎に異なることが多いため、それぞれの光ディスクの種類に対応したパルス幅（Write Strategy）と共に設定することも多い。
【００５３】
このようなコントローラ１１におけるＯＰＣ処理について、図５に示す概略フローチャートを参照して説明する。図５に示すように、まず、情報記録前に光ディスク１００の記録層（第１層）１０１の情報記録領域１０４の記録状態を再生信号ＲＦまたは光ディスク１００の管理情報を用いて確認する（ステップＳ１）。再生信号ＲＦを用いる場合には、例えば内周から外周に向かって光ピックアップ５を半径方向に移動し、再生信号ＲＦを取得し、この時の光ピックアップ５の位置情報と再生信号ＲＦの有無を記憶する。光ディスク１００の管理情報を使用する場合は、管理情報記録領域（図示せず）を再生して、どこまで情報が記録されているかを確認する。
【００５４】
以上のようにして光ディスク１００の記録層（第１層）１０１の情報記録領域１０４の記録状態を確認した後、最適記録パワーを求めるためにＯＰＣを行う。
【００５５】
光ディスク１００の記録層（第１層）１０１の情報記録領域１０４に情報が記録されている場合には（ステップＳ２のＹ：状態判定手段）、光ディスク１００の記録層（第１層）１０１の内周ＰＣＡ１０３に対してＯＰＣを行った後（ステップＳ３：ＯＰＣ手段）、光ディスク１００の記録層（第２層）１０２の内周ＰＣＡ１０３に対してＯＰＣを行う（ステップＳ４：ＯＰＣ手段）。次いで、光ディスク１００の記録層（第１層）１０１の外周ＰＣＡ１０５に対してＯＰＣを行った後（ステップＳ５：ＯＰＣ手段）、光ディスク１００の記録層（第２層）１０２の外周ＰＣＡ１０５に対してＯＰＣを行う（ステップＳ６：ＯＰＣ手段）。
【００５６】
一方、光ディスク１００の記録層（第１層）１０１の情報記録領域１０４に情報が記録されていない場合には（ステップＳ２のＮ：状態判定手段）、光ディスク１００の記録層（第２層）１０２の内周ＰＣＡ１０３に対してＯＰＣを行った後（ステップＳ７：ＯＰＣ手段）、光ディスク１００の記録層（第１層）１０１の内周ＰＣＡ１０３に対してＯＰＣを行う（ステップＳ８：ＯＰＣ手段）。次いで、光ディスク１００の記録層（第２層）１０２の外周ＰＣＡ１０５に対してＯＰＣを行った後（ステップＳ９：ＯＰＣ手段）、光ディスク１００の記録層（第１層）１０１の外周ＰＣＡ１０５に対してＯＰＣを行う（ステップＳ１０：ＯＰＣ手段）。
【００５７】
このように光ディスク１００の内周ＰＣＡ１０３と外周ＰＣＡ１０５とに対してそれぞれＯＰＣを行うのは、次の理由による。前述したように、ＯＰＣ実行時には、光ディスク１００は角速度（回転数）一定となるように回転駆動され、ＣＡＶ方式或いはＺＣＬＶ方式で試し書きが行われる。このように角速度（回転数）一定で記録をする場合には、線速度が外周に向かうほど高速になる。ところが、線速度が速くなる場合には、記録パワーを高くしなければならない。そこで、本実施の形態においては、光ディスク１００の情報記録領域１０４の内周部と外周部とでＯＰＣを行うことにより、中間線速度での最適記録パワーを求めるようにするものである。
【００５８】
また、光ディスク１００の記録層（第１層）１０１の情報記録領域１０４に情報が記録されている場合に、最初に光ディスク１００の記録層（第１層）１０１についてＯＰＣを行うようにしたのは、次の理由による。すなわち、光ディスク１００の記録層（第１層）１０１の情報記録領域１０４に情報が記録されている場合に、光ディスク１００の記録層（第１層）１０１についてＯＰＣを先に行うことにより、光ディスク１００の記録層（第１層）１０１のＰＣＡ（内周ＰＣＡ１０３及び外周ＰＣＡ１０５）に情報が書き込まれた状態で、光ディスク１００の記録層（第２層）１０２のＰＣＡ（内周ＰＣＡ１０３及び外周ＰＣＡ１０５）に対するＯＰＣを行うことになるので、光ディスク１００の記録層（第１層）１０１の情報記録領域１０４に情報が記録されているのと同じ状態で最適記録パワーを求めることができるようにするものである。同様に、光ディスク１００の記録層（第１層）１０１の情報記録領域１０４に情報が記録されていない場合には、光ディスク１００の記録層（第２層）１０２についてＯＰＣを先に行うことにより、光ディスク１００の記録層（第１層）１０１の情報記録領域１０４に情報が記録されていないのと同じ状態で最適記録パワーを求めることができるようにするものである。このようにすることで、情報記録時と同じ状態で、最適記録パワーを求めることができるようになる。
【００５９】
以上のようにして光ディスク１００の内周ＰＣＡ１０３と外周ＰＣＡ１０５とでのＯＰＣが終了すると、内周ＰＣＡ１０３と外周ＰＣＡ１０５とでＯＰＣを行った結果を用いて中間線速での記録パワーを内挿して求めることで最適記録パワーを求め、この最適記録パワーを光ディスク１００の最適記録パワーとして設定し（ステップＳ１１）、情報の記録を開始する（ステップＳ１２）。
【００６０】
ここに、記録層が多層構造の光ディスク１００を用いた角速度一定方式による情報記録の際に、情報記録動作時と同条件の下で、内周ＰＣＡ１０３と外周ＰＣＡ１０５とでＯＰＣを行った結果を用いて中間線速での記録パワーを内挿して求めることで最適記録パワーを求めることが可能になるので、線速度が外周に向かうほど高速になるような場合であっても、最適記録パワーを求めることが可能になる。これにより、記録層が多層構造の光情報記録媒体を用いた角速度一定方式による情報記録の際に、安定した記録品質を維持することが可能になる。
【００６１】
なお、光ディスク１００の記録層（第１層）１０１の情報記録領域１０４の途中まで情報が記録されているような場合において、光ディスク１００の記録層（第２層）１０２の情報記録領域１０４に対して情報を記録するような場合は、光ディスク１００の記録層（第１層）１０１についてのＯＰＣを先に行った場合に設定された最適記録パワーと、光ディスク１００の記録層（第２層）１０２についてのＯＰＣを先に行った場合に設定された最適記録パワーとをパラメータとして不揮発性メモリ１２に記憶しておけば、途中で切り替えるようにすることもできる。
【００６２】
次に、本発明の第二の実施の形態を図１６に基づいて説明する。なお、第一の実施の形態において説明した部分と同一部分については同一符号を用い、説明も省略する。第一の実施の形態の光ディスクドライブ装置１は、光ディスク１００に対する記録再生方式としてＣＡＶ方式或いはＺＣＬＶ方式を用いたが、本実施の形態の光ディスクドライブ装置１は、光ディスク１００に対する記録再生方式としてＣＬＶ方式を用いた点で異なるものである。
【００６３】
このように光ディスク１００に対する記録再生方式としてＣＬＶ方式を用いた場合には、光ディスク１００は線速度一定となるように回転駆動され、ＯＰＣ実行時には、ＣＬＶ方式で試し書きが行われる。この場合には、光ディスク１００と光ピックアップ５の半導体レーザからのレーザビームとの相対速度が常に一定なので、記録パワーや記録パルス幅などの記録条件は、一度最適に決めてしまえば、全面にわたり変える必要がない。このため、光ディスク１００の内周ＰＣＡ１０３または外周ＰＣＡ１０５のいずれか一方でＯＰＣを行い、それで決定した最適記録パワーを用いて、同じ線速度で全面記録するようにすれば良い。
【００６４】
ここで、本実施の形態のコントローラ１１におけるＯＰＣ処理について、図６に示す概略フローチャートを参照して説明する。図６に示すように、まず、情報記録前に光ディスク１００の記録層（第１層）１０１の情報記録領域１０４の記録状態を再生信号ＲＦまたは光ディスク１００の管理情報を用いて確認する（ステップＳ２１）。再生信号ＲＦを用いる場合には、例えば内周から外周に向かって光ピックアップ５を半径方向に移動し、再生信号ＲＦを取得し、この時の光ピックアップ５の位置情報と再生信号ＲＦの有無を記憶する。光ディスク１００の管理情報を使用する場合は、管理情報記録領域（図示せず）を再生して、どこまで情報が記録されているかを確認する。
【００６５】
以上のようにして光ディスク１００の記録層（第１層）１０１の情報記録領域１０４の記録状態を確認した後、最適記録パワーを求めるためにＯＰＣを行う。
【００６６】
光ディスク１００の記録層（第１層）１０１の情報記録領域１０４に情報が記録されている場合には（ステップＳ２２のＹ：状態判定手段）、光ディスク１００の記録層（第１層）１０１の内周ＰＣＡ１０３（または、外周ＰＣＡ１０５）に対してＯＰＣを行った後（ステップＳ２３：ＯＰＣ手段）、光ディスク１００の記録層（第２層）１０２の内周ＰＣＡ１０３（または、外周ＰＣＡ１０５）に対してＯＰＣを行う（ステップＳ２４：ＯＰＣ手段）。
【００６７】
一方、光ディスク１００の記録層（第１層）１０１の情報記録領域１０４に情報が記録されていない場合には（ステップＳ２２のＮ：状態判定手段）、光ディスク１００の記録層（第２層）１０２の内周ＰＣＡ１０３（または、外周ＰＣＡ１０５）に対してＯＰＣを行った後（ステップＳ２５：ＯＰＣ手段）、光ディスク１００の記録層（第１層）１０１の内周ＰＣＡ１０３（または、外周ＰＣＡ１０５）に対してＯＰＣを行う（ステップＳ２６：ＯＰＣ手段）。
【００６８】
このように、光ディスク１００の記録層（第１層）１０１の情報記録領域１０４に情報が記録されている場合に、最初に光ディスク１００の記録層（第１層）１０１についてＯＰＣを行うようにしたのは、次の理由による。すなわち、光ディスク１００の記録層（第１層）１０１の情報記録領域１０４に情報が記録されている場合に、光ディスク１００の記録層（第１層）１０１についてＯＰＣを先に行うことにより、光ディスク１００の記録層（第１層）１０１の内周ＰＣＡ１０３（または、外周ＰＣＡ１０５）に情報が書き込まれた状態で、光ディスク１００の記録層（第２層）１０２の内周ＰＣＡ１０３（または、外周ＰＣＡ１０５）に対するＯＰＣを行うことになるので、光ディスク１００の記録層（第１層）１０１の情報記録領域１０４に情報が記録されているのと同じ状態で最適記録パワーを求めることができるようにするものである。同様に、光ディスク１００の記録層（第１層）１０１の情報記録領域１０４に情報が記録されていない場合には、光ディスク１００の記録層（第２層）１０２についてＯＰＣを先に行うことにより、光ディスク１００の記録層（第１層）１０１の情報記録領域１０４に情報が記録されていないのと同じ状態で最適記録パワーを求めることができるようにするものである。このようにすることで、情報記録時と同条件で、最適記録パワーを求めることができるようになる。
【００６９】
以上のようにして光ディスク１００の内周ＰＣＡ１０３（または、外周ＰＣＡ１０５）に対するＯＰＣが終了すると、求められた最適記録パワーを光ディスク１００の最適記録パワーとして設定し（ステップＳ２７）、情報の記録を開始する（ステップＳ２８）。
【００７０】
ここに、記録層が多層構造の光ディスク１００を用いた線速度一定方式による情報記録の際に、情報記録動作時と同条件の下で、ＯＰＣ動作における最適記録パワーを求めることが可能になる。これにより、記録層が多層構造の光情報記録媒体を用いた線速度一定方式による情報記録の際に、安定した記録品質を維持することが可能になる。
【００７１】
なお、ＣＬＶ方式では内周部ほど回転数を高くする必要があるので、高速になってくると回転させるのが困難になる。モータコストが高くなったり、騒音、振動が増えたり、その他のサーボシステムの設計も困難になってくる。そこで、内周で回転数をあまり上げないかわりに、外周へいってもあまり回転数を下げないようにする手法がとられる。すなわち、この場合には線速度は外周にいくほど高くなる。したがって、このような場合には、第一の実施の形態で説明したように、外周でのＯＰＣ結果と内周でのＯＰＣ結果とを求め、中間線速度での最適記録パワーを光ディスク１００の最適記録パワーとして設定することになる。
【００７２】
次に、本発明の第三の実施の形態を図７に基づいて説明する。本実施の形態は、情報処理装置としてデスクトップ型のパーソナルコンピュータ５０に適用したものであり、３．５型ＦＤドライブ装置５１の他に、各実施の形態で前述したような光ディスクドライブ装置１を内蔵（一体に内蔵させたタイプでも、いわゆるビルトインタイプでもよい）した構成とされている。従って、ホストもパーソナルコンピュータ５０内に内蔵されている。
【００７３】
このようなパーソナルコンピュータ５０によれば、上述したような光ディスクドライブ装置１を内蔵しているので、２層の記録層を有する多層光ディスクである光ディスク１００を用いた線速度一定方式による情報の記録動作時や角速度一定方式による情報の記録動作時において、ＯＰＣ動作における最適記録パワーを求めることができる光ディスクドライブ装置１を記憶装置等として利用できるパーソナルコンピュータ５０を提供することができる。
【００７４】
もっとも、本実施の形態のようにパーソナルコンピュータ５０に内蔵されたタイプの光ディスクドライブ装置に限らず、単体で設けられ、外部のホスト等の情報処理装置に接続された形態であってもよい。また、デスクトップ型のパーソナルコンピュータ５０に限らず、ノートパソコン等の携帯型であってもよい。
【図面の簡単な説明】
【００７５】
【図１】本発明の第一の実施の形態の光ディスクのエリア構成を示す説明図である。
【図２】光ディスクに対して情報を記録再生する光ディスクドライブ装置の構成を示す概略ブロック図である。
【図３】記録パワーによる再生信号の状態を示す説明図である。
【図４】記録パワーと評価尺度値βの関係を示す説明図である。
【図５】ＯＰＣ処理の流れを概略的に示すフローチャートである。
【図６】本発明の第二の実施の形態のＯＰＣ処理の流れを概略的に示すフローチャートである。
【図７】本発明の第三の実施の形態のパーソナルコンピュータを概略的に示す外観斜視図である。
【符号の説明】
【００７６】
１        光情報記録装置
５０      情報処理装置
１００    光情報記録媒体
１０１，１０２    記録層
１０３    情報記録領域よりも内周部のＰＣＡ
１０４    情報記録領域
１０５    情報記録領域よりも外周部のＰＣＡ
【図１】
2004310997.tif 000003
【図２】
2004310997.tif 000004
【図３】
2004310997.tif 000005
【図４】
2004310997.tif 000006
【図５】
2004310997.tif 000007
【図６】
2004310997.tif 000008
【図７】
2004310997.tif 000009